(57)【要約】【課題】建物用基礎部材の構造において、寸法変更が必要な場合においても柔軟に対応可能であり、歩留まりを改善してコストを抑えることができるようにする。【解決手段】フーチング部１８は、立上り部１６の長手方向に任意に調整可能な間隔Ｋを空けて配置され、かつ互いに平行する複数の支持部１８ａ…と、立上り部１６と平行に配置され、かつ複数の支持部１８ａ…の端部同士を連結する補助配筋材１８ｂと、を備えており、複数の支持部１８ａ…間に形成された間隔Ｋは、現場打ちコンクリートの打設用スペースとされている。【選択図】図２
0003187580.tif 000002
【実用新案登録請求の範囲】
【請求項１】
鉛直方向に直立して建物を支持する立上り部と、前記立上り部の下端部から側方に突出して当該立上り部を支持するフーチング部と、を有するプレキャストコンクリート製の建物用基礎部材の構造において、
前記フーチング部は、
前記立上り部の長手方向に任意に調整可能な間隔を空けて配置され、かつ互いに平行する複数の支持部と、
前記立上り部と平行に配置され、かつ前記複数の支持部の端部同士を連結する補強材と、を備えており、
前記複数の支持部間に形成された前記間隔は、現場打ちコンクリートの打設用スペースとされていることを特徴とする建物用基礎部材の構造。
【請求項２】
請求項１に記載の建物用基礎部材の構造において、
前記フーチング部は、隣接する前記複数の支持部間に、これら支持部と平行して配置される配筋材を備えることを特徴とする建物用基礎部材の構造。
【請求項３】
請求項２に記載の建物用基礎部材の構造において、
前記配筋材の長さは、前記支持部よりも長尺に設定されていることを特徴とする建物用基礎部材の構造。
【請求項４】
請求項２または３に記載の建物用基礎部材の構造において、
前記複数の支持部の長さ方向両端部側に、前記現場打ちコンクリートの打設時に使用される型枠がそれぞれ配置されており、
前記配筋材の長さは、前記型枠間の間隔と略等しく設定されていることを特徴とする建物用基礎部材の構造。
【請求項５】
請求項１〜４のいずれか一項に記載の建物用基礎部材の構造において、
前記立上り部の下端部はテーパ状に形成されており、
前記複数の支持部の上端部には、前記立上り部の下端部の形状に対応する溝部がそれぞれ形成されており、
前記立上り部の下端部は、前記複数の支持部の各溝部に嵌合されていることを特徴とする建物用基礎部材の構造。
【考案の詳細な説明】
【技術分野】
【０００１】
本考案は、建物用基礎部材の構造に関する。
【背景技術】
【０００２】
近年、建物用基礎としては、予め工場等でブロック状に成形されたプレキャストコンクリート製の所謂ＰＣ基礎を用いる技術が知られている。すなわち、建物用基礎は、建物の構築領域の地盤を連続的に掘削して形成された根切り部にＰＣ基礎が順次配列されて、建物の壁線に沿って連続性のある状態となるように設けられることにより造られている（例えば、特許文献１参照）。
【先行技術文献】
【特許文献】
【０００３】
【特許文献１】特許第３５６３１２８号公報
【考案の概要】
【考案が解決しようとする課題】
【０００４】
ところで、特許文献１における各種ＰＣ基礎では、フーチング部が、立上り部の下端から下方に延出する板状をなして強度の維持を図る支持部と、フーチング形成領域を囲む囲繞部とにより、所謂矩形枠状に形成されている。
【０００５】
しかしながら、囲繞部によってフーチング形成領域が確定されているため、例えば標準とは異なる仕様等の間取りで布基礎を構築するような、規定寸法と比較して変更された寸法のＰＣ基礎が必要となった場合、当該間取りに対応したＰＣ基礎（以下、建物用基礎部材）を、工場での製造段階において別ラインで成形しなければならない。
この場合、変更された寸法に応じて矩形枠状のフーチング部を別途成形しなければならないため、製造に係る手間が余計にかかるだけでなく、歩留まりが悪くコストが嵩むことが懸念される。
【０００６】
そこで、本考案は上述した事情に鑑みてなされたもので、建物用基礎を構成する建物用基礎部材において、寸法変更が必要な場合においても柔軟に対応可能であり、歩留まりを改善してコストを抑え得るようにすることを目的とする。
【課題を解決するための手段】
【０００７】
上記課題を解決するために、請求項１に記載の考案は、例えば図１〜図６に示すように、鉛直方向に直立して建物を支持する立上り部１６と、前記立上り部１６の下端部から側方に突出して当該立上り部１６を支持するフーチング部１８と、を有するプレキャストコンクリート製の建物用基礎部材（例えば、ＰＣ基礎１０（１２，１４））の構造において、
前記フーチング部１８は、
前記立上り部１６の長手方向に任意に調整可能な間隔Ｋを空けて配置され、かつ互いに平行する複数の支持部１８ａ…と、
前記立上り部１６と平行に配置され、かつ前記複数の支持部１８ａ…の端部同士を連結する補強材（例えば、補助配筋材１８ｂ）と、を備えており、
前記複数の支持部１８ａ…間に形成された前記間隔Ｋは、現場打ちコンクリート４の打設用スペースとされていることを特徴とする。
【０００８】
請求項１に記載の考案によれば、フーチング部１８は、立上り部１６の長手方向に任意に調整可能な間隔Ｋを空けて配置され、かつ互いに平行する複数の支持部１８ａ…と、立上り部１６と平行に配置され、かつ複数の支持部１８ａ…の端部同士を連結する補強材としての補助配筋材１８ｂと、を備えている。このとき、複数の支持部１８ａ…間に形成された間隔Ｋは、現場打ちコンクリート４の打設用スペースとされているので、当該間隔Ｋにコンクリート４を打設してフーチング部１８を地盤１００に強固に固定できる。しかも、複数の支持部１８ａ…間に形成された間隔Ｋは、任意に調整可能であるので、例えば標準とは異なる仕様等の間取りで建物用基礎（布基礎１）を構築するような、規定寸法と比較して変更された寸法の建物用基礎部材が必要となった場合においても、当該変更された寸法に対応することができるため、歩留まりを改善してコストを抑えることができる。
また、建物用基礎部材（ＰＣ基礎１０（１２，１４））は、立上り部１６とフーチング部１８とを有する形状に工場で製造されるものであり、表面が仕上げ処理されているため、特に、立上り部１６は、建築現場で表面処理を行なう必要がない。また、表面のデザイン加工も可能である。
【０００９】
請求項２に記載の考案は、請求項１に記載の建物用基礎部材（ＰＣ基礎１０（１２，１４））の構造において、
前記フーチング部１８は、隣接する前記複数の支持部１８ａ，１８ａ…間に、これら支持部１８ａ…と平行して配置される配筋材２３を備えることを特徴とする。
【００１０】
請求項２に記載の考案によれば、フーチング部１８は、隣接する複数の支持部１８ａ，１８ａ…間に、これら支持部１８ａ…と平行して配置される配筋材２３を備えているので、建物用基礎部材（ＰＣ基礎１０（１２，１４））の剛性や強度を向上させることができる。
【００１１】
請求項３に記載の考案は、請求項２に記載の建物用基礎部材（ＰＣ基礎１０（１２，１４））の構造において、
前記配筋材２３の長さは、前記支持部１８ａよりも長尺に設定されていることを特徴とする。
【００１２】
請求項３に記載の考案によれば、配筋材２３の長さは、支持部１８ａ…よりも長尺に設定されているので、建物用基礎部材（ＰＣ基礎１０（１２，１４））の剛性や強度を向上させることができる上に、フーチング部１８における幅方向の寸法変更にも対応できる。
【００１３】
請求項４に記載の考案は、請求項２または３に記載の建物用基礎部材（ＰＣ基礎１０（１２，１４））の構造において、
前記複数の支持部１８ａ…の長さ方向両端部側に、前記現場打ちコンクリート４の打設時に使用される型枠５２がそれぞれ配置されており、
前記配筋材２３の長さは、前記型枠５２，５２間の間隔と略等しく設定されていることを特徴とする。
【００１４】
請求項４に記載の考案によれば、複数の支持部１８ａ…の長さ方向両端部側に、現場打ちコンクリート４の打設時に使用される型枠５２，５２がそれぞれ配置されており、配筋材２３の長さは、型枠５２，５２間の間隔と略等しく設定されているので、フーチング部１８の周辺を囲むように配置された型枠５２，５２内に現場打ちコンクリート４を打設することにより、コンクリート４の打設量を少なくして打設作業を容易にでき、且つ型枠５２が打設したコンクリート４を囲むため、養生期間中の他の作業も影響を受けることなく行なうことができ、工期の短縮およびコスト削減を図ることができる。
【００１５】
請求項５に記載の考案は、請求項１〜４のいずれか一項に記載の建物用基礎部材（ＰＣ基礎１０（１２，１４））の構造において、
前記立上り部１６の下端部はテーパ状に形成されており、
前記複数の支持部１８ａの上端部には、前記立上り部１６の下端部の形状（テーパ１７）に対応する溝部１８ｅがそれぞれ形成されており、
前記立上り部１６の下端部（テーパ１７）は、前記複数の支持部１８ａの各溝部１８ｅに嵌合されていることを特徴とする。
【００１６】
請求項５に記載の考案によれば、立上り部１６の下端部はテーパ状に形成されており、複数の支持部１８ａ…の上端部には、立上り部１６の下端部の形状（テーパ１７）に対応する溝部１８ｅがそれぞれ形成されており、立上り部１６の下端部（テーパ１７）は、複数の支持部１８ａ…の各溝部１８ｅ…に嵌合されているので、立上り部１６の下端部と、地盤１００との間に所定空間を形成することができる。よって、この所定空間に打設したコンクリート４を流れ込ますことができ、フーチング部１８を地盤１００に対して、より一層強固に固定できることとなる。すなわち、建物用基礎部材（ＰＣ基礎１０（１２，１４））の固定強度を最大限に発揮させることができる。
しかも、立上り部１６の下端部には、テーパ１７が形成されているので、一方の側から打設したコンクリート４を他方の側に流れ込み易くすることができる。従って、例えば、建物の内側からコンクリート４を打設すれば、外側にもコンクリート４が流れ込むこととなり、外側からのコンクリート打設作業を省略できる。これにより、立上り部１６における建物の外側面が打設したコンクリート４によって汚されることを未然に防止できる。
【考案の効果】
【００１７】
本考案によれば、建物用基礎を構成する建物用基礎部材において、寸法変更が必要な場合においても柔軟に対応可能であり、歩留まりを改善してコストを抑えることができる。
【図面の簡単な説明】
【００１８】
【図１】本考案の一実施形態に係る建物用基礎構造の全体斜視図である。
【図２】両端部に連結部が形成された建物用基礎部材を示し、（ａ）はその平面図、（ｂ）はその正面図である。
【図３】図２（ａ）におけるＡ−Ａ線断面を示す斜視図である。
【図４】図２（ａ）におけるＢ−Ｂ線断面図である。
【図５】一方の端部に突出部が形成され、他方の端部に連結部が形成された建物用基礎部材を示し、（ａ）はその平面図、（ｂ）はその正面図である。
【図６】図５の建物用基礎部材にコンクリートを打設する際の説明に供する説明図であり、（ａ）は建物用基礎部材の中央側における概略断面図であり、（ｂ）はその端部側における概略断面図である。
【考案を実施するための形態】
【００１９】
以下、本考案に係る建物用基礎部材の一実施形態について、図面を参照して説明する。
図１に示すように、建物用基礎である布基礎１は、かかる建物用基礎部材としてのＰＣ基礎１０が根切り部２０に順次配列されることによって構築される。このとき、根切り部２０は、建物の構築領域で地盤１００を連続的に掘削（布掘り）して形成されており、この根切り部２０のコーナー部および所定位置には、ベース部３０が設置されている。そして、これらベース部３０，３０間にＰＣ基礎１０が架設されることによって、布基礎１が構築されている。
【００２０】
このベース部３０は、根切り部２０に載置される敷きモルタル２１と、当該敷きモルタル２１上に敷設されるプレキャストコンクリート製の底盤２２（以下、これをＰＣ底盤２２と称す）とを有している。このＰＣ底盤２２はレベルプレートとも呼ばれ、補強鉄筋（図示せず）を内部に有して強化されたコンクリート板であるため、建築現場で補強鉄筋をこのベース部３０上に配設する作業を省略できる。また、このＰＣ底盤２２は、上面が滑らかな平面となっており、ＰＣ基礎１０を架設するときにこの上面に位置合わせのための墨出しを行えるようになっている。
【００２１】
また、このベース部３０を根切り部２０に設置するときには、このベース部３０の設置位置に敷きモルタル２１の山を載置し、この敷きモルタル２１の山を潰すようにしてＰＣ底盤２２を載置する。そして、このＰＣ底盤２２を掛矢等で叩いて所定の高さで上面がほぼ水平になるよう調整作業を行なう。なお、この作業は、水糸や水準器やレーザー光線による水準装置等を用いて水平レベルおよび高さを確認しながら行なう。
【００２２】
次に、こうして設置されたベース部３０，３０間に架設されるＰＣ基礎１０について説明する。かかるＰＣ基礎１０は、予め工場においてブロック状に成形されたプレキャストコンクリート製の基礎部材である。このＰＣ基礎１０には、大別すると、長手方向の両端部に連結部１１が形成されたＰＣ基礎１２（図１中右側）と、一方の端部には連結部１１が形成され、他方の端部には側方に向けて突出した矩形状の突出部１３が形成されたＰＣ基礎１４（図１中左側）との二種類がある。このＰＣ基礎１４は、主に建物の隅部に配置される。
【００２３】
図２は、両端部に連結部１１が形成されたＰＣ基礎１２を示し、（ａ）はその平面図、（ｂ）はその正面図である。そして、図３は、図２（ａ）におけるＡ−Ａ線断面の斜視図である。これらの図に示すように、ＰＣ基礎１２は、立上り部１６とフーチング部１８とを有している。
【００２４】
立上り部１６は、上端面に建物を載置して支持するもので、内部に図示しない補強用の鉄筋が埋設されてコンクリートによって所定の厚さで直方体状に形成されている。このように形成されていることから、図１に示すように、ベース部３０、３０間に架設すると、この立上り部１６は、根切り部２０の地盤１００から所定間隔をあけて所定空間を形成した状態で設置されることとなる。
【００２５】
また、立上り部１６の両端部に形成されている連結部１１は、肉厚が厚くなって、長手方向の外方に向けた開口１１ａを有することにより平面コ字形状に成形されてなる。かかるＰＣ基礎１２，１２同士を直線状に接合するときには、それぞれの連結部１１，１１を対向させて設置する。このとき、これら連結部１１，１１を突き合わせることによって形成される開口１１ａ，１１ａの空間内には、不図示の接合用の配筋材（以下、これを接合筋と称す）が上方から挿入配置される。これにより、連結部１１，１１間における連結強度の強化を図るようになっている。そして、その後、現場打ちコンクリート４（後述の図６等参照）が打設され、このコンクリート４の養生によって、隣接するＰＣ基礎１２，１２同士を強固に連結するようになっている。なお、接合筋としては各種形状の接合筋を広く適用できる。
【００２６】
さらに、この立上り部１６の下端部には、下方へ向けて先細りとなる傾斜面としてのテーパ１７が形成されている。このテーパ１７は、立上り部１６の一方の側面側からコンクリート４を打設したときに、このコンクリート４が他方の側面側へと流れ込み易くするためのものである。すなわち、例えば、建物の内側からコンクリート４を打設すれば、外側にもコンクリート４が流れ込むこととなる。よって、外側からのコンクリート打設作業を省略できる。これにより、立上り部１６における建物の外側面が、打設したコンクリート４によって汚されることを未然に防止できる。加えて、テーパ１７を設ける分、ＰＣ基礎１０の軽量化を図ることができるため、施工に使用するクレーン等の重機を小型化できるなど施工性にも優れている。
【００２７】
次に、フーチング部１８は、立上り部１６を支持するものであって、立上り部１６の両側面において、内部に図示しない鉄筋を有して下部から側方および下方に突出して形成されている。
【００２８】
具体的には、フーチング部１８は、立上り部１６の長手方向に任意に調整可能な間隔Ｋを空けて配置され、かつ互いに平行して立上り部１６を支持する複数の支持部１８ａ…と、立上り部１６と平行に配置され、かつ複数の支持部１８ａ…の端部同士を連結する補強材としての補助配筋材１８ｂと、を備えており、これら支持部１８ａ…は、強度を維持するために立上り部１６の下端から下に延出する板状をなしている（図３参照）。また、本実施形態の場合、複数の支持部１８ａ…のうち、立上り部１６の長手方向両端側に位置する各支持部１８ａには、これらに隣り合う支持部１８ａとの間に、各々の端部同士を連結してフーチング形成領域のうち、端部の領域を囲む囲繞部１８ｃを備えている。
【００２９】
また、このフーチング部１８は、立上り部１６の長手方向の中央側に形成されており、上記連結部１１の側面には、このフーチング部１８が形成されない構成となっている。従って、図１に示すように、このＰＣ基礎１２は、連結部１１の下面を架設部としてベース部３０のＰＣ底盤２２上に載置できるようになっている。
【００３０】
ここで、複数の支持部１８ａ…の上端部には、立上り部１６の下端部の形状（すなわち、テーパ１７）に対応する溝部１８ｅがそれぞれ形成されている（図３参照）。そして、立上り部１６の下端部は、複数の支持部１８ａ…の各溝部１８ｅ…に嵌合されている。これにより、立上り部１６の下端部と、地盤１００との間に所定空間を形成することができる。よって、この所定空間に打設したコンクリートを流れ込ますことができ、フーチング部１８を地盤１００に対して、より一層強固に固定できることとなる。すなわち、ＰＣ基礎１２の固定強度を最大限に発揮させることができる。
【００３１】
また、図４に示すように、フーチング部１８において、囲繞部１８ｃの内側には、テーパ１８ｄが形成されていることが好ましい。このような構成にすると、地盤１００とフーチング部１８との間に打設されたコンクリートを介して充分に上部からの荷重を伝えることが可能となる。さらに、このようにテーパ１８ｄが形成されていることから、上方から打設されたコンクリートが抜け出るパンチングが生じるのを防止できることとなる。加えて、このような構成のＰＣ基礎１０は、製造時に中子を一体的な形状としても脱型を容易に行なうことができる。
【００３２】
また、複数の支持部１８ａ…間に形成された間隔Ｋは、現場打ちコンクリートの打設用スペースとされている。これにより、これら間隔Ｋにコンクリートを打設してフーチング部１８を地盤１００に強固に固定可能となっている。しかも、複数の支持部１８ａ…間に形成された間隔Ｋは、任意に調整可能であるので、例えば標準とは異なる仕様等の間取りで建物用基礎としての布基礎１を構築するような、規定寸法と比較して変更された寸法のＰＣ基礎１０（１２，１４）が必要となった場合においても、当該変更された寸法に対応することができるため、歩留まりを改善してコストを抑えることができる。
【００３３】
加えて、フーチング部１８は、隣接する複数の支持部１８ａ…間に、これら支持部１８ａ…と平行して配置される配筋材２３を備えている。これにより、ＰＣ基礎１２の剛性や強度を向上させることが可能となる。このとき、配筋材２３の長さが、支持部１８ａ…よりも長尺に設定されていれば、ＰＣ基礎１２の剛性や強度を向上させることができる上に、フーチング部１８における幅方向の寸法変更にも対応可能となる。
【００３４】
そして、このフーチング部１８における上記間隔Ｋは、囲繞部１８ｃや型枠５２（後述する図６参照）が設けられることにより、コンクリート充填口１９として機能する。このコンクリート充填口１９は、図２（ａ）に示すように、フーチング部１８の上から下に貫通し、立上り部１６と地盤１００（図１）との間の空間に連通するものである。とりわけ、フーチング形成領域における端部の領域では、支持部１８ａ，１８ａの端部間に囲繞部１８ｃが配設され、その他の領域では、不図示の型枠が隣接する支持部１８ａ…の端部間に配置されることで、コンクリート充填口１９が矩形の穴状に形成される。そして、このコンクリート充填口１９から立上り部１６の下にコンクリートを打設して、フーチング部１８を地盤１００に強固に固定できるようになっている。
【００３５】
具体的に、複数の支持部１８ａ…の長さ方向両端部側に、現場打ちコンクリートの打設時に使用される型枠がそれぞれ配置される。このとき、配筋材２３…の長さは、型枠間の間隔と略等しく設定されている。従って、フーチング部１８の周辺を囲むように配置された型枠内に現場打ちコンクリートを打設することにより、コンクリートの打設量を少なくして打設作業を容易にでき、且つ型枠が打設したコンクリートを囲むため、養生期間中の他の作業も影響を受けることなく行なうことができ、工期の短縮およびコスト削減を図ることができる。
【００３６】
さらに、フーチング部１８は、ＰＣ基礎１２がベース部３０、３０間に架設されたときに、地盤１００（図１）との間に隙間があくようになっていても良い。こうすることで、地盤１００とフーチング部１８との間に打設コンクリートが流れ込んで一層しっかりと固定できることとなる。
【００３７】
次に、図５は、一方の端部に突出部１３が形成され、他方の端部に連結部１１が形成されたＰＣ基礎１４を示し、（ａ）はその平面図、（ｂ）はその正面図である。
【００３８】
このＰＣ基礎１４は、建物の構築領域において隅部となる出隅位置に設置されるもので、出隅側に位置する一方の端部に突出部１３を有する点において、上記ＰＣ基礎１２と異なって構成されている。
【００３９】
突出部１３は、基礎出隅のコーナー部において、上記ＰＣ基礎１２と直角に接合されるため、立上り部１６の一方の出隅側の端部に出隅に沿って長手方向の軸に直角に突出して形成されるものである。
【００４０】
その結果、この突出部１３によって、出隅側の端部に直角な外面角部１３ａが形成されることとなり、この外面角部１３ａはＰＣ基礎１４を設置した状態で、出隅角部に相当することとなり、この外面角部１３ａを基準とすることにより、容易に対角寸法を測定することが可能となる。
【００４１】
そして、この突出部１３の前端面からは、図示省略する接合筋の一方の端部側が突出して（すなわち、接合筋の他方の端部が突出部１３の前端面内に埋設され）ており、この接合筋を、対向して配置されるＰＣ基礎１２の連結部１１に挿入し、この連結部１１にコンクリートを打設、養生し固化したときに、ＰＣ基礎１２とＰＣ基礎１４とがしっかりと結合されるようになっている。
【００４２】
また、この突出部１３が形成された端部にはフーチング部１８が形成されず、フーチング部１８は立上り部１６の中央側に形成された構成となっている。その他の構成は上記ＰＣ基礎１２とほぼ同様であるため、重複する説明は割愛する。
【００４３】
ここで、図６（ａ）に示すように、具体的にコンクリート打設時のフーチング部１８には、その端部側のコンクリート充填口１９以外に、各支持部１８ａ間の間隔Ｋ（図１参照）の周囲においても、各支持部１８ａの長さ方向両端側に型枠５２が配設されることにより、コンクリート充填口１９が形成される。この場合、上記間隔Ｋに配設された配筋材２３の長さは、型枠５２，５２間の間隔と略等しく設定されている。なお、この配筋材２３の長さを各支持部１８ａの長さより長く設定し、その両端側に型枠５２を配設することで、フーチング部１８の幅方向の寸法も調整可能となる。
【００４４】
そして、これらコンクリート充填口１９からコンクリート４を打設すると、このコンクリート充填口１９が立上り部１６の下の空間と連通しているので、この空間にコンクリート４が流れ込むようになっている。このとき、立上り部１６の下端部には、テーパ１７が形成されているので、一方の側からコンクリート４を打設すると、このコンクリート４は他方の側に流れ込み易くなっている。
【００４５】
すなわち、コンクリート充填口１９からコンクリート４を打設すると、立上り部１６のテーパ１７によって、当該コンクリート４が反対側に流れ易くなるので、一方側からのコンクリート打設だけでＰＣ基礎１０を固定でき、立上り部１６の他方側の側面を汚さずに済むこととなる。
【００４６】
従って、例えば建物の内側からコンクリート４を打設すれば、外側にもコンクリート４が流れ込むこととなり、外側からのコンクリート打設作業を省略できるため、立上り部１６における建物の外側面が打設コンクリート４によって汚されることがなくなる。
【００４７】
さらに、打設されたコンクリート４は、フーチング部１８の下にも流れ込むので、ＰＣ基礎１０が確実に地盤に固定される。なお、フーチング１８の下からコンクリート４が流れ出すのを見て、コンクリート４の打設が適切に行われたか否かを判断することもできる。
【００４８】
また、ベース部３０の周辺では、図６（ｂ）に示すように、例えばベース部３０のＰＣ底盤２２上に、立上り部１６の端部底面が載置された状態を保持してコンクリート４が打設され固定されている。このように、打設されたコンクリート４は、コテ（不図示）等で平坦にならして表面処理した後、養生される。
【００４９】
なお、本実施形態の場合、ＰＣ基礎１０（１２，１４）は、立上り部１６とフーチング部１８とが一体的に成形されて構成されているので、建築現場でフーチング全体を構築する必要がない。つまり、建築現場でフーチング部を形成する手間を省くことができる分、工期の短縮化やコスト削減を図ることができると共に、コンクリート４の打設作業を行えば、フーチング部１８を地盤１００に固定できる。
【００５０】
また、ＰＣ基礎１２および１４は、いずれも予め工場で表面が処理された状態となっている。さらに、ＰＣ基礎１０（１２，１４）の全体形状としては、長手方向における少なくとも一方の端部が上記連結部１１とされていれることを除いて各種形状のものを適用可能とする。
【００５１】
以上、説明したように、本実施形態の布基礎１を構築するＰＣ基礎１０によれば、フーチング部１８は、立上り部１６の長手方向に任意に調整可能な間隔Ｋを空けて配置され、かつ互いに平行する複数の支持部１８ａ…と、立上り部１６と平行に配置され、かつ複数の支持部１８ａ…の端部同士を連結する補強材としての補助配筋材１８ｂと、を備えている。このとき、複数の支持部１８ａ…間に形成された間隔Ｋは、現場打ちコンクリート４の打設用スペースとされているので、当該間隔Ｋにコンクリート４を打設してフーチング部１８を地盤１００に強固に固定できる。
しかも、複数の支持部１８ａ…間に形成された間隔Ｋは、任意に調整可能であるので、例えば標準とは異なる仕様等の間取りで建物用基礎である布基礎１を構築するような、規定寸法と比較して変更された寸法のＰＣ基礎１０（１２，１４）が必要となった場合においても、当該変更された寸法に対応することができるため、歩留まりを改善してコストを抑えることができる。
加えて、ＰＣ基礎１０（１２，１４）は、立上り部１６とフーチング部１８とを有する形状に工場で製造されるものであり、表面が仕上げ処理されているため、特に、立上り部１６は、建築現場で表面処理を行なう必要がない。また、表面のデザイン加工も可能である。
【００５２】
さらに、フーチング部１８は、隣接する複数の支持部１８ａ，１８ａ間に、これら支持部１８ａ…と平行して配置される配筋材２３を備えているので、ＰＣ基礎１０（１２，１４）の剛性や強度を向上させることができる。
このとき、配筋材２３の長さが、支持部１８ａ…よりも長尺に設定されていれば、ＰＣ基礎１０（１２，１４）の剛性や強度を向上させることができる上に、フーチング部１８における幅方向の寸法変更にも対応できる。
【００５３】
また、複数の支持部１８ａ…の長さ方向両端部側に、現場打ちコンクリート４の打設時に使用される型枠５２，５２がそれぞれ配置されており、配筋材２３の長さは、型枠５２，５２間の間隔と略等しく設定されているので、フーチング部１８の周辺を囲むように配置された型枠５２，５２内に現場打ちコンクリート４を打設することにより、コンクリート４の打設量を少なくして打設作業を容易にでき、且つ型枠５２が打設したコンクリート４を囲むため、養生期間中の他の作業も影響を受けることなく行なうことができ、工期の短縮およびコスト削減を図ることができる。
【００５４】
さらに、立上り部１６の下端部はテーパ状に形成されており、複数の支持部１８ａ…の上端部には、立上り部１６の下端部のテーパ１７に対応する溝部１８ｅがそれぞれ形成されており、立上り部１６のテーパ１７は、複数の支持部１８ａ…の各溝部１８ｅ…に嵌合されているので、立上り部１６の下端部と、地盤１００との間に所定空間を形成することができる。よって、この所定空間に打設したコンクリート４を流れ込ますことができ、フーチング部１８を地盤１００に対して、より一層強固に固定できることとなる。すなわち、ＰＣ基礎１０（１２，１４）の固定強度を最大限に発揮させることができる。
しかも、立上り部１６の下端部には、テーパ１７が形成されているので、一方の側から打設したコンクリート４を他方の側に流れ込み易くすることができる。従って、例えば、建物の内側からコンクリート４を打設すれば、外側にもコンクリート４が流れ込むこととなり、外側からのコンクリート打設作業を省略できる。これにより、立上り部１６における建物の外側面が打設したコンクリート４によって汚されることを未然に防止できる。
【００５５】
なお、本考案は、上述した実施形態に限定されることなく、本考案の趣旨を逸脱しない範囲において、適宜、種々の改良および設計の変更が可能である。
【００５６】
例えば、上述した実施形態においては、ＰＣ基礎１０，１０同士の連結における接合態様について、図１に示すような略Ｌ字状に接合されるＬ形接合を適用する場合について述べたが、本考案はこれに限られることはない。かかる接合態様としては、ＰＣ基礎１０，１０同士を略直線状に連結するＩ形接合や、複数のＰＣ基礎１０…を略Ｔ字状に連結するＴ形接合、または複数のＰＣ基礎１０…を略Ｘ字状（すなわち、十字状）に連結するＸ形接合など、種々の接合態様を広く適用することが可能である。
【符号の説明】
【００５７】
１…布基礎（建物用基礎構造）
１０，１２，１４…ＰＣ基礎（建物用基礎部材）
１１…連結部
１１ａ…開口
１３…突出部
１６…立上り部
１７…テーパ
１８…フーチング部
１８ａ…支持部
１８ｂ…補助配筋材（補強材）
１８ｃ…囲繞部
１８ｅ…溝部
１９…コンクリート充填口
２０…根切り部
２１…敷きモルタル
２２…ＰＣ底盤
２３…配筋材
３０…ベース部
４…コンクリート
５２…型枠
【図１】
0003187580.tif 000003
【図２】
0003187580.tif 000004
【図３】
0003187580.tif 000005
【図４】
0003187580.tif 000006
【図５】
0003187580.tif 000007
【図６】
0003187580.tif 000008